Podtech/llm-jp-corpus-v4-ja_patent huggingface dataset:
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
始動条件の成立に基づき、遊技者に有利な特別遊技を実行するか否かを判定する特別遊技判定手段と、
前記特別遊技判定手段による判定結果に基づいて、所定の演出手段にて演出を行う演出制御手段と、
前記特別遊技判定手段にて前記特別遊技を実行すると判定されると、図柄の変動時間を定める第１変動パターン又は当該第１変動パターンの定める変動時間よりも短い変動時間を定める第２変動パターンのいずれかを選択する変動パターン選択手段と、
前記特別遊技の終了後、第１の遊技状態又は前記第１の遊技状態よりも遊技者に有利な第２の遊技状態に、遊技状態を移行可能な遊技状態移行手段と、を備え、
前記変動パターン選択手段は、前記第２の遊技状態の場合、前記第１変動パターンを選択する場合と前記第２変動パターンを選択する場合とがあり、
前記演出制御手段は、前記特別遊技の実行の確定を告知する演出である確定演出を実行するか否かを決定するとともに、前記変動パターン選択手段にて前記第２変動パターンが選択されると、前記第１変動パターンが選択されたときとは異なる別の前記確定演出を実行可能であり、
前記遊技状態移行手段は、前記第２変動パターンが選択されたとき、前記特別遊技の終了後、前記第２の遊技状態に遊技状態を移行させること
を特徴とする遊技機。
【請求項２】
始動条件の成立に基づき、遊技者に有利な特別遊技を実行するか否かを判定する特別遊技判定手段と、
前記特別遊技判定手段による判定結果に基づいて、所定の演出手段にて演出を行う演出制御手段と、
前記特別遊技判定手段にて前記特別遊技を実行すると判定されると、図柄の変動時間を定める第１変動パターン又は当該第１変動パターンの定める変動時間よりも短い変動時間を定める第２変動パターンのいずれかを選択する変動パターン選択手段と、
前記特別遊技の終了後、第１の遊技状態又は前記第１の遊技状態よりも遊技者に有利な第２の遊技状態に、遊技状態を移行可能な遊技状態移行手段と、を備え、
前記変動パターン選択手段は、前記第２の遊技状態の場合、前記第１変動パターンを選択する場合と前記第２変動パターンを選択する場合とがあり、
前記演出制御手段は、前記変動パターン選択手段にて前記第２変動パターンが選択されると、前記特別遊技の実行の確定を告知する演出である確定演出の実行割合を、前記第１変動パターンが選択されたときとは異ならせるとともに、前記第１変動パターンが選択されたときとは異なる別の前記確定演出を実行可能であり、
前記遊技状態移行手段は、前記第２変動パターンが選択されたとき、前記特別遊技の終了後、前記第２の遊技状態に遊技状態を移行させること
を特徴とする遊技機。
【手続補正２】
【補正対象書類名】明細書
【補正対象項目名】０００９
【補正方法】変更
【補正の内容】
【０００９】
本発明の遊技機（１）は、始動条件の成立に基づき、遊技者に有利な特別遊技を実行するか否かを判定する特別遊技判定手段（３０１ａ，Ｓ１６０１）と、前記特別遊技判定手段による判定結果に基づいて、所定の演出手段（１０４，１０８，１２１）にて演出を行う演出制御手段（３２０ａ）と、前記特別遊技判定手段にて前記特別遊技を実行すると判定されると、図柄の変動時間を定める第１変動パターン又は当該第１変動パターンの定める変動時間よりも短い変動時間を定める第２変動パターンのいずれかを選択する変動パターン選択手段と、前記特別遊技の終了後、第１の遊技状態又は前記第１の遊技状態よりも遊技者に有利な第２の遊技状態に、遊技状態を移行可能な遊技状態移行手段と、を備え、前記変動パターン選択手段は、前記第２の遊技状態の場合、前記第１変動パターンを選択する場合と前記第２変動パターンを選択する場合とがあり、前記演出制御手段は、前記特別遊技の実行の確定を告知する演出である確定演出を実行するか否かを決定するとともに（Ｓ２６０７）、前記変動パターン選択手段にて前記第２変動パターンが選択されると、前記第１変動パターンが選択されたときとは異なる別の前記確定演出を実行可能であり、前記遊技状態移行手段は、前記第２変動パターンが選択されたとき、前記特別遊技の終了後、前記第２の遊技状態に遊技状態を移行させることを特徴とする。
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
ＷＥＢアプリケーションが搭載されたＷＥＢサーバ装置であって、
ＷＥＢブラウザを有する画像取扱装置から第１のＨＴＴＰリクエストをネットワークを介して受信すると、該第１のＨＴＴＰリクエストで指定されているＵＲＬに基づくＨＴＭＬデータであって、前記画像取扱装置のスキャナでスキャン処理を実行させるための条件設定を入力させる条件設定画面に係るＨＴＭＬデータを、前記ネットワークを介して前記画像取扱装置に送信する送信手段と、
前記画像取扱装置の前記ＷＥＢブラウザ上に表示された前記条件設定画面を介して入力された前記条件設定を、前記ネットワークを介して前記画像取扱装置から受信する受信手段と、
前記画像取扱装置からスキャン処理の実行に係る指示を含む第２のＨＴＴＰリクエストを前記ネットワークを介して受信すると、前記受信手段で受信した前記条件設定に基づいてスキャン処理を実行するための実行指示データを、前記ネットワークを介して前記画像取扱装置に送信する第２の送信手段と、
を有することを特徴とするＷＥＢサーバ装置。
【請求項２】
前記受信手段で受信した前記条件設定に基づいて、前記実行指示データを生成する生成手段をさらに有する請求項１に記載のＷＥＢサーバ装置。
【請求項３】
前記条件設定は、解像度及び原稿サイズに係る設定のうち、少なくとも一つを含むことを特徴とする請求項１又は２に記載のＷＥＢサーバ装置。
【請求項４】
ＷＥＢアプリケーションが搭載されたＷＥＢサーバ装置が行う方法であって、
ＷＥＢブラウザを有する画像取扱装置から第１のＨＴＴＰリクエストをネットワークを介して受信すると、該第１のＨＴＴＰリクエストで指定されているＵＲＬに基づくＨＴＭＬデータであって、前記画像取扱装置のスキャナでスキャン処理を実行させるための条件設定を入力させる条件設定画面に係るＨＴＭＬデータを、送信手段が、前記ネットワークを介して前記画像取扱装置に送信するステップと、
前記画像取扱装置の前記ＷＥＢブラウザ上に表示された前記条件設定画面を介して入力された前記条件設定を、受信手段が、前記ネットワークを介して前記画像取扱装置から受信するステップと、
前記画像取扱装置からスキャン処理の実行に係る指示を含む第２のＨＴＴＰリクエストを前記ネットワークを介して受信すると、前記受信手段で受信した前記条件設定に基づいてスキャン処理を実行するための実行指示データを、第２の送信手段が、前記ネットワークを介して前記画像取扱装置に送信するステップと、
を有することを特徴とする方法。
【請求項５】
ＷＥＢアプリケーションが搭載されたＷＥＢサーバ装置を、
ＷＥＢブラウザを有する画像取扱装置から第１のＨＴＴＰリクエストをネットワークを介して受信すると、該第１のＨＴＴＰリクエストで指定されているＵＲＬに基づくＨＴＭＬデータであって、前記画像取扱装置のスキャナでスキャン処理を実行させるための条件設定を入力させる条件設定画面に係るＨＴＭＬデータを、前記ネットワークを介して前記画像取扱装置に送信する送信手段と、
前記画像取扱装置の前記ＷＥＢブラウザ上に表示された前記条件設定画面を介して入力された前記条件設定を、前記ネットワークを介して前記画像取扱装置から受信する受信手段と、
前記画像取扱装置からスキャン処理の実行に係る指示を含む第２のＨＴＴＰリクエストを前記ネットワークを介して受信すると、前記受信手段で受信した前記条件設定に基づいてスキャン処理を実行するための実行指示データを、前記ネットワークを介して前記画像取扱装置に送信する第２の送信手段、
として機能させることを特徴とするプログラム。
【手続補正２】
【補正対象書類名】明細書
【補正対象項目名】発明の名称
【補正方法】変更
【補正の内容】
【発明の名称】ＷＥＢサーバ装置、方法、プログラム
【手続補正３】
【補正対象書類名】明細書
【補正対象項目名】０００１
【補正方法】変更
【補正の内容】
【０００１】
本発明は、ＷＥＢサーバ装置、方法及びプログラムに関する。
【手続補正４】
【補正対象書類名】明細書
【補正対象項目名】０００８
【補正方法】変更
【補正の内容】
【０００８】
そこで上記課題を解決するため、本発明は、ＷＥＢアプリケーションが搭載されたＷＥＢサーバ装置であって、ＷＥＢブラウザを有する画像取扱装置から第１のＨＴＴＰリクエストをネットワークを介して受信すると、該第１のＨＴＴＰリクエストで指定されているＵＲＬに基づくＨＴＭＬデータであって、前記画像取扱装置のスキャナでスキャン処理を実行させるための条件設定を入力させる条件設定画面に係るＨＴＭＬデータを、前記ネットワークを介して前記画像取扱装置に送信する送信手段と、前記画像取扱装置の前記ＷＥＢブラウザ上に表示された前記条件設定画面を介して入力された前記条件設定を、前記ネットワークを介して前記画像取扱装置から受信する受信手段と、前記画像取扱装置からスキャン処理の実行に係る指示を含む第２のＨＴＴＰリクエストを前記ネットワークを介して受信すると、前記受信手段で受信した前記条件設定に基づいてスキャン処理を実行するための実行指示データを、前記ネットワークを介して前記画像取扱装置に送信する第２の送信手段と、を有することを特徴とする。
【手続補正５】
【補正対象書類名】明細書
【補正対象項目名】００１０
【補正方法】変更
【補正の内容】
【００１０】
本発明によれば、画面開発の効率化を維持するとともに、画像形成装置が有する特有のハードウェアの制御も可能なインタフェースを提供するＷＥＢサーバ装置、方法、プログラムを提供することができる。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
ソール部が水平又は実質的に水平となる第１の状態におけるライ角度を第１のライ角度としたときに、
前記第１のライ角度よりも大きな角度のライ角度である第２のライ角度を形成する第２の状態において、水平面と平行となるように形成された少なくとも１本のスコアラインと、
前記スコアラインを有し、トウから張り出してフェース面と同一面として形成された張り出し部と、
を備えるゴルフクラブヘッド。
【請求項２】
請求項１に記載のゴルフクラブヘッドにおいて、
前記スコアラインは、少なくとも前記トウ側に配置されていること、
を特徴とするゴルフクラブヘッド。
【請求項３】
請求項１または請求項２に記載のゴルフクラブヘッドにおいて、
前記フェース面において前記トウの下端が直線になっていること、
を特徴とするゴルフクラブヘッド。
【請求項４】
請求項１から請求項３までのいずれか１項に記載のゴルフクラブヘッドにおいて、
前記スコアラインに加えて、前記第１の状態において水平面と平行となるように形成されたスコアラインがさらに設けられていること、
を特徴とするゴルフクラブヘッド。
【請求項５】
請求項１から請求項４までのいずれか１項に記載のゴルフクラブヘッドと、
前記ゴルフクラブヘッドに接続されたシャフトと、
を備えるゴルフクラブ。
【手続補正２】
【補正対象書類名】明細書
【補正対象項目名】００１０
【補正方法】変更
【補正の内容】
【００１０】
請求項１の発明は、ソール部（１１ｂ）が水平又は実質的に水平となる第１の状態におけるライ角度を第１のライ角度（α）としたときに、前記第１のライ角度よりも大きな角度のライ角度である第２のライ角度（β）を形成する第２の状態において、水平面と平行となるように形成された少なくとも１本のスコアライン（１３，２３，３３）と、前記スコアラインを有し、トウから張り出してフェース面と同一面として形成された張り出し部（１１ｃ）と、を備えるゴルフクラブヘッド（１１，２１，３１）である。
【手続補正３】
【補正対象書類名】明細書
【補正対象項目名】００１２
【補正方法】変更
【補正の内容】
【００１２】
請求項３の発明は、請求項１または請求項２に記載のゴルフクラブヘッドにおいて、フェース面において前記トウの下端が直線になっていること、を特徴とするゴルフクラブヘッドである。
【手続補正４】
【補正対象書類名】明細書
【補正対象項目名】００１３
【補正方法】変更
【補正の内容】
【００１３】
請求項４の発明は、請求項１から請求項３までのいずれか１項に記載のゴルフクラブヘッドにおいて、前記スコアライン（１３，３３）に加えて、前記第１の状態において水平面と平行となるように形成されたスコアライン（１２，３２）がさらに設けられていること、を特徴とするゴルフクラブヘッド（１１，３１）である。
【手続補正５】
【補正対象書類名】明細書
【補正対象項目名】００１４
【補正方法】変更
【補正の内容】
【００１４】
請求項５の発明は、請求項１から請求項４までのいずれか１項に記載のゴルフクラブヘッド（１１，２１，３１）と、前記ゴルフクラブヘッドに接続されたシャフト（１５）と、を備えるゴルフクラブ（１０，２０，３０）である。
【手続補正６】
【補正対象書類名】明細書
【補正対象項目名】００１５
【補正方法】削除
【補正の内容】
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
遊技状態の移行抽選を行う移行抽選手段と、
遊技球が検知されることを条件に、前記移行抽選手段による移行抽選を行うための始動情報を出力する始動情報出力手段と、
前記移行抽選手段による移行抽選の結果に基づいて識別情報を可変表示する可変表示手段と、
遊技球の入賞が不可能な閉鎖状態と遊技球の入賞が可能な開放状態との間で変化させられる第１の可変入賞手段及び第２の可変入賞手段と、
前記移行抽選手段における移行抽選の結果が特別の抽選結果であるときに、前記第１及び第２の可変入賞手段を、所定の態様で開放状態と閉鎖状態との間で変化させる特別遊技状態に遊技状態を移行する遊技状態移行手段と、
を備えた遊技機であって、
前記第１の可変入賞手段及び前記第２の可変入賞手段のそれぞれへの遊技球を検出する第１の入賞検出手段及び第２の入賞検出手段と、
前記第１の可変入賞手段が作動していることを示す信号を出力する第１可変入賞手段作動中信号出力手段と、
前記第２の可変入賞手段が作動していることを示す信号を出力する第２可変入賞手段作動中信号出力手段と、
を、さらに備え、
前記遊技状態移行手段は、
前記特別遊技状態に遊技状態を移行した際、前記第１の可変入賞手段及び前記第２の可変入賞手段を交互に開放状態とし、
前記第１の可変入賞手段が所定の閉鎖条件を満たすまで開放状態とされている間に、開放状態から閉鎖状態とされた前記第２の可変入賞手段において開放状態中に入賞したものの前記第２の入賞検出手段により検出されていない未検出の遊技球を、前記第２の可変入賞手段が閉鎖されてから前記第１の可変入賞手段が開放されるまでの時間よりも長い所定の時間が経過するまで当該第２の入賞検出手段に検出させ、
前記第２の可変入賞手段が所定の閉鎖条件を満たすまで開放状態とされている間に、開放状態から閉鎖状態とされた前記第１の可変入賞手段において開放状態中に入賞したものの前記第１の入賞検出手段により検出されていない未検出の遊技球を所定の時間が経過するまで当該第１の入賞検出手段に検出させ、
前記第１可変入賞手段作動中信号出力手段は、前記第１の可変入賞手段が開放を開始することに伴い第１可変入賞手段作動中信号を出力し、前記所定の時間が経過することに伴い第１可変入賞手段作動中信号の出力を停止し、
前記第２可変入賞手段作動中信号出力手段は、前記第２の可変入賞手段が開放を開始することに伴い第２可変入賞手段作動中信号を出力し、前記所定の時間が経過することに伴い第２可変入賞手段作動中信号の出力を停止する
ことを特徴とする遊技機。
【手続補正２】
【補正対象書類名】明細書
【補正対象項目名】０００８
【補正方法】変更
【補正の内容】
【０００８】
上記課題を解決するために、本発明では、以下のような構成の遊技機を提供する。
遊技状態の移行抽選を行う移行抽選手段と、
遊技球が検知されることを条件に、前記移行抽選手段による移行抽選を行うための始動情報を出力する始動情報出力手段と、
前記移行抽選手段による移行抽選の結果に基づいて識別情報を可変表示する可変表示手段と、
遊技球の入賞が不可能な閉鎖状態と遊技球の入賞が可能な開放状態との間で変化させられる第１の可変入賞手段及び第２の可変入賞手段と、
前記移行抽選手段における移行抽選の結果が特別の抽選結果であるときに、前記第１及び第２の可変入賞手段を、所定の態様で開放状態と閉鎖状態との間で変化させる特別遊技状態に遊技状態を移行する遊技状態移行手段と、
を備えた遊技機であって、
前記第１の可変入賞手段及び前記第２の可変入賞手段のそれぞれへの遊技球を検出する第１の入賞検出手段及び第２の入賞検出手段と、
前記第１の可変入賞手段が作動していることを示す信号を出力する第１可変入賞手段作動中信号出力手段と、
前記第２の可変入賞手段が作動していることを示す信号を出力する第２可変入賞手段作動中信号出力手段と、
を、さらに備え、
前記遊技状態移行手段は、
前記特別遊技状態に遊技状態を移行した際、前記第１の可変入賞手段及び前記第２の可変入賞手段を交互に開放状態とし、
前記第１の可変入賞手段が所定の閉鎖条件を満たすまで開放状態とされている間に、開放状態から閉鎖状態とされた前記第２の可変入賞手段において開放状態中に入賞したものの前記第２の入賞検出手段により検出されていない未検出の遊技球を、前記第２の可変入賞手段が閉鎖されてから前記第１の可変入賞手段が開放されるまでの時間よりも長い所定の時間が経過するまで当該第２の入賞検出手段に検出させ、
前記第２の可変入賞手段が所定の閉鎖条件を満たすまで開放状態とされている間に、開放状態から閉鎖状態とされた前記第１の可変入賞手段において開放状態中に入賞したものの前記第１の入賞検出手段により検出されていない未検出の遊技球を所定の時間が経過するまで当該第１の入賞検出手段に検出させ、
前記第１可変入賞手段作動中信号出力手段は、前記第１の可変入賞手段が開放を開始することに伴い第１可変入賞手段作動中信号を出力し、前記所定の時間が経過することに伴い第１可変入賞手段作動中信号の出力を停止し、
前記第２可変入賞手段作動中信号出力手段は、前記第２の可変入賞手段が開放を開始することに伴い第２可変入賞手段作動中信号を出力し、前記所定の時間が経過することに伴い第２可変入賞手段作動中信号の出力を停止する
ことを特徴とする遊技機。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
第１開始条件が成立したことに基づいて第１識別情報の第１可変表示を実行可能であり、第２開始条件が成立したことに基づいて第２識別情報の第２可変表示を実行可能である遊技機であって、
第１可変表示または第２可変表示の開始に応じて演出識別情報の可変表示を開始し、第１可変表示または第２可変表示の表示結果の導出表示に応じて演出識別情報の表示結果を導出表示する演出表示装置と、
第１可変表示と第２可変表示とのいずれも実行されていない状態において、前記第１開始条件が成立したときに、第１可変表示を開始させる第１可変表示開始手段と、
第１可変表示と第２可変表示とのいずれも実行されていない状態において、前記第２開始条件が成立したときに、第２可変表示を開始させる第２可変表示開始手段と、
前記第１開始条件が成立した第１可変表示の可変表示開始時から可変表示終了時までの可変表示時間を含む可変表示パターンを選択するための第１可変表示パターン選択処理と、前記第２開始条件が成立した第２可変表示の可変表示開始時から可変表示終了時までの可変表示時間を含む可変表示パターンを選択するための第２可変表示パターン選択処理とを、同一の処理ルーチンにより実行し、開始条件が成立した可変表示の可変表示時間を含む可変表示パターンを複数の可変表示パターンから選択する可変表示パターン選択手段と、
前記可変表示パターン選択手段により選択された可変表示パターンに基づいて、第１可変表示の可変表示時間を示す第１データと、第２可変表示の可変表示時間を示す第２データとを、同一の記憶領域に記憶する可変表示時間記憶手段と、
識別情報が表示されてから次に識別情報が表示されるまでの期間としての可変周期として、第１可変表示または第２可変表示とは異なる可変周期により、第１識別情報または第２識別情報に対応した特定識別情報の可変表示を実行する特定可変表示実行手段とを備え、
可変表示パターンは、前記演出表示装置において、演出識別情報の可変表示が開始されてから表示結果が導出表示されるまでに一旦仮停止表示させた後に演出識別情報の可変表示を再度実行する再可変表示を所定回実行させる再可変表示パターンを含み、
前記特定可変表示実行手段は、前記再可変表示パターンに従って実行される演出識別情報の可変表示における仮停止表示のタイミングであっても、特定識別情報の可変表示を継続して実行する
ことを特徴とする遊技機。
【手続補正２】
【補正対象書類名】明細書
【補正対象項目名】０００１
【補正方法】変更
【補正の内容】
【０００１】
本発明は、第１開始条件が成立したことに基づいて第１識別情報の第１可変表示を実行可能であり、第２開始条件が成立したことに基づいて第２識別情報の第２可変表示を実行可能である遊技機に関する。
【手続補正３】
【補正対象書類名】明細書
【補正対象項目名】０００７
【補正方法】変更
【補正の内容】
【０００７】
本発明は、プログラム容量を節減することができる遊技機を提供することを目的とする。
【手続補正４】
【補正対象書類名】明細書
【補正対象項目名】０００８
【補正方法】変更
【補正の内容】
【０００８】
本発明による遊技機は、第１開始条件が成立したことに基づいて第１識別情報の第１可変表示を実行可能であり、第２開始条件が成立したことに基づいて第２識別情報の第２可変表示を実行可能である遊技機であって、第１可変表示または第２可変表示の開始に応じて演出識別情報の可変表示を開始し、第１可変表示または第２可変表示の表示結果の導出表示に応じて演出識別情報の表示結果を導出表示する演出表示装置と、第１可変表示と第２可変表示とのいずれも実行されていない状態において、第１開始条件が成立したときに、第１可変表示を開始させる第１可変表示開始手段と、第１可変表示と第２可変表示とのいずれも実行されていない状態において、第２開始条件が成立したときに、第２可変表示を開始させる第２可変表示開始手段と、第１開始条件が成立した第１可変表示の可変表示開始時から可変表示終了時までの可変表示時間を含む可変表示パターンを選択するための第１可変表示パターン選択処理と、第２開始条件が成立した第２可変表示の可変表示開始時から可変表示終了時までの可変表示時間を含む可変表示パターンを選択するための第２可変表示パターン選択処理とを、同一の処理ルーチンにより実行し、開始条件が成立した可変表示の可変表示時間を含む可変表示パターンを複数の可変表示パターンから選択する可変表示パターン選択手段と、可変表示パターン選択手段により選択された可変表示パターンに基づいて、第１可変表示の可変表示時間を示す第１データと、第２可変表示の可変表示時間を示す第２データとを、同一の記憶領域に記憶する可変表示時間記憶手段と、識別情報が表示されてから次に識別情報が表示されるまでの期間としての可変周期として、第１可変表示または第２可変表示とは異なる可変周期により、第１識別情報または第２識別情報に対応した特定識別情報の可変表示を実行する特定可変表示実行手段とを備え、可変表示パターンは、演出表示装置において、演出識別情報の可変表示が開始されてから表示結果が導出表示されるまでに一旦仮停止表示させた後に演出識別情報の可変表示を再度実行する再可変表示を所定回実行させる再可変表示パターンを含み、特定可変表示実行手段は、再可変表示パターンに従って実行される演出識別情報の可変表示における仮停止表示のタイミングであっても、特定識別情報の可変表示を継続して実行することを特徴とする。
【誤訳訂正書】
【提出日】平成28年10月13日(2016.10.13)
【誤訳訂正１】
【訂正対象書類名】明細書
【訂正対象項目名】００１７
【訂正方法】変更
【訂正の内容】
【００１７】
上記の固形臓器に加えて、例えば関節(例えば、膝、肩、もしくは股関節)、気管、または脊髄の全体もしくは一部などの他のタイプの血管付きの臓器もしくは組織を、本明細書に記載された方法で脱細胞化することができる。さらに、本明細書に記載された方法で、例えば軟骨や角膜などの無血管組織を脱細胞化することもできる。
【手続補正書】
【提出日】平成28年4月19日(2016.4.19)
【手続補正１】
【補正対象書類名】明細書
【補正対象項目名】００２７
【補正方法】変更
【補正の内容】
【００２７】
本実施形態においては、バックアップロール１１４の加熱乾燥に加えて搬送ベルトによる加熱乾燥を実行することにより、第１の触媒層ＣＬ１の乾燥を促進することができる。なお、バックアップロール１１４および搬送ベルト１１６による２段階の加熱乾燥によれば、それぞれの加熱部を小型化できるので、別途独立して乾燥装置を設ける場合の装置の大型化、複雑化に比べて小型化、簡易化に有利である。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
可変表示の開始を許容する開始条件の成立にもとづいて、可変表示を行う可変表示手段に表示結果として特定表示結果が導出されたときに遊技者にとって有利な有利状態に制御可能な遊技機であって、
前記開始条件が成立していない可変表示について保留記憶として記憶可能な保留記憶手段と、
前記可変表示手段における保留表示領域に、前記保留記憶手段に記憶された各保留記憶に対応する保留表示を表示する保留表示手段と、
前記有利状態に制御するか否かを決定する事前決定手段と、
前記事前決定手段の決定結果にもとづいて、可変表示中にリーチ演出を実行するリーチ用可変表示パターンを含む複数の可変表示パターンのうちから可変表示パターンを決定する可変表示パターン決定手段と、
前記可変表示パターン決定手段が決定した可変表示パターンにもとづいて可変表示を実行する可変表示制御手段と、
前記可変表示手段における前記保留表示領域に重畳しない非重畳位置から該可変表示手段における前記保留表示領域の少なくとも一部に重畳する重畳位置に移動可能に設けられる可動物と、
前記可動物を前記非重畳位置から前記重畳位置に移動させる可動演出を、可変表示が開始されてから前記リーチ演出が実行されるまでに実行する可動演出実行手段と、
を備え、
前記可動演出が実行されるときには、表示中の保留表示が消去されるとともに、新たな保留表示の表示が禁止され、可変表示が終了するときには、消去された保留表示および表示が禁止された新たな保留表示が表示される、
ことを特徴とする遊技機。
【請求項２】
遊技の制御を行う遊技制御手段と、
前記遊技制御手段から出力される制御情報にもとづいて演出の制御を行う演出制御手段と、
をさらに備える、
ことを特徴とする請求項１に記載の遊技機。
【手続補正２】
【補正対象書類名】明細書
【補正対象項目名】００１０
【補正方法】変更
【補正の内容】
【００１０】
本発明は、このような問題点に着目してなされたもので、遊技者に誤認されることを防止できる遊技機を提供することを目的とする。
【手続補正３】
【補正対象書類名】明細書
【補正対象項目名】００１１
【補正方法】変更
【補正の内容】
【００１１】
前記課題を解決するために、本発明の請求項１に記載の遊技機は、
可変表示の開始を許容する開始条件の成立にもとづいて、可変表示を行う可変表示手段（第１特別図柄表示器８ａ、第２特別図柄表示器８ｂ、画像表示装置５）に表示結果として特定表示結果（例えば、大当り遊技結果）が導出されたときに遊技者にとって有利な有利状態に制御可能な遊技機（パチンコ遊技機１）であって、
前記開始条件が成立していない可変表示について保留記憶として記憶可能な保留記憶手段（第１特図保留記憶部１５１Ａ、第２特図保留記憶部１５１Ｂ、特図保留記憶部１９５）と、
前記可変表示手段における保留表示領域（画像表示装置５の第１保留記憶数表示エリア５Ｄ、第２保留記憶数表示エリア５Ｕ）に、前記保留記憶手段に記憶された各保留記憶に対応する保留表示を表示する保留表示制御手段（演出制御用ＣＰＵ１２０において、保留記憶表示制御処理を実行する部分）と、
前記有利状態に制御するか否かを決定する事前決定手段（遊技制御用マイクロコンピュータ１００において、ステップＳ１１０を実行する部分）と、
前記事前決定手段の決定結果にもとづいて、可変表示中にリーチ演出を実行するリーチ用可変表示パターン（スーパーリーチα、β）を含む複数の可変表示パターンのうちから可変表示パターンを決定する可変表示パターン決定手段（遊技制御用マイクロコンピュータ１００において、ステップＳ１１１を実行する部分）と、
前記可変表示パターン決定手段が決定した可変表示パターンにもとづいて可変表示を実行する可変表示制御手段（遊技制御用マイクロコンピュータ１００において、ステップＳ１１２〜１１３を実行する部分）と、
前記可変表示手段における前記保留表示領域に重畳しない非重畳位置（格納位置）から該可変表示手段における前記保留表示領域の少なくとも一部に重畳する重畳位置（前面位置）に移動可能（例えば図５６（ａ）（ｂ）参照）に設けられる可動物（シャッタ３８Ｈ，３８Ｌ）と、
前記可動物を前記非重畳位置から前記重畳位置に移動させる可動演出を、可変表示が開始されてから前記リーチ演出が実行されるまでに実行する可動演出実行手段（演出制御用ＣＰＵ１２０において、例えば、ステップＳ７３６，７３７を実行する部分）と、
を備え、
前記可動演出が実行されるときには、表示中の保留表示が消去されるとともに、新たな保留表示の表示が禁止され（演出制御用ＣＰＵ１２０が保留表示中止フラグがセットされているときにステップＳ９２２を実行する部分、図６１（Ｃ），図６５参照）、可変表示が終了するときには、消去された保留表示および表示が禁止された新たな保留表示が表示される、
ことを特徴としている。
この特徴によれば、遊技者に誤認されることを防止できる。
【手続補正書】
【提出日】平成28年4月26日(2016.4.26)
【手続補正１】
【補正対象書類名】明細書
【補正対象項目名】発明の名称
【補正方法】変更
【補正の内容】
【発明の名称】銅荒引き線
【手続補正２】
【補正対象書類名】特許請求の範囲
【補正対象項目名】全文
【補正方法】変更
【補正の内容】
【特許請求の範囲】
【請求項１】
連続圧延材からなる銅荒引き線であって、
任意の３箇所の断面を観察し、表面から100μm以内の環状の領域に存在する酸化銅粒子のうち、酸化銅粒子全体を包含できる最小円の直径をその酸化銅粒子の最大径とするとき、前記最大径が10μm以上の酸化銅粒子が平均2個以上15個以下であり、
捻回試験による銅粉発生量が15mg以下（但し15mgを除く）である銅荒引き線。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
液体を吐出するヘッドに供給するための液体を収容可能な液体収容部と、
前記液体収容部の内部に前記液体を注入可能な液体注入部と、
を備えた液体収容容器であって、
前記液体収容部は、前記ヘッドに前記液体を供給する状態において、
底壁と、
前記底壁より上方に位置し、前記液体注入部が設けられた液体注入部形成壁と、
前記底壁と前記液体注入部形成壁とに交差する方向に延び、前記液体収容部内の液体を外部から視認可能な視認壁と、
前記視認壁と対向する対向壁と、
前記底壁と前記液体注入部形成壁との間に位置し、前記視認壁と交差する方向に前記対向壁に向けて延び、且つ、前記対向壁とは離れた端部を有する壁と、
を備え、
前記液体注入部は、前記対向壁より前記視認壁に近い位置に位置し、
前記壁の前記端部は、前記視認壁より前記対向壁に近い位置に位置する、
液体収容容器。
【請求項２】
請求項１に記載の液体収容容器であって、
前記視認壁に、前記液体収容部内の液体量の下限を示す下限マークが設けられている、液体収容容器。
【請求項３】
請求項１または請求項２に記載の液体収容容器であって、
前記視認壁に、前記液体収容部内の液体量の上限を示す上限マークが設けられている、液体収容容器。
【請求項４】
請求項１から請求項３までのいずれか一項に記載の液体収容容器であって、
前記視認壁は、少なくとも一部が撥液性を有する、液体収容容器。
【請求項５】
請求項１から請求項４までのいずれか一項に記載の液体収容容器と、
前記ヘッドと、
を備えたプリンターであって、
前記液体収容容器は前記プリンターのケース内に収容され、
前記ケースは、前記液体収容容器の前記視認壁と対向する窓部を有する、
プリンター。
【請求項６】
請求項５に記載のプリンターであって、
前記窓部は、前記プリンターの正面に設けられている、プリンター。
【請求項７】
請求項５または請求項６に記載のプリンターであって、
前記ケースは、前記プリンターの正面に操作パネルを有する、
プリンター。
【請求項８】
請求項５から請求項７までのいずれか一項に記載のプリンターと、
スキャナーユニットとを備え、
前記スキャナーユニットは、前記プリンターの上方に前記ケースに対し回動可能に設けられている
複合機。
【手続補正２】
【補正対象書類名】明細書
【補正対象項目名】発明の名称
【補正方法】変更
【補正の内容】
【発明の名称】液体収容容器、プリンター、および、複合機
【手続補正３】
【補正対象書類名】明細書
【補正対象項目名】０００５
【補正方法】変更
【補正の内容】
【０００５】
本発明は、上述の課題の少なくとも一部を解決するためになされたものであり、以下の形態又は適用例として実現され得る。
［形態１］
液体を吐出するヘッドに供給するための液体を収容可能な液体収容部と、
前記液体収容部の内部に前記液体を注入可能な液体注入部と、
を備えた液体収容容器であって、
前記液体収容部は、前記ヘッドに前記液体を供給する状態において、
底壁と、
前記底壁より上方に位置し、前記液体注入部が設けられた液体注入部形成壁と、
前記底壁と前記液体注入部形成壁とに交差する方向に延び、前記液体収容部内の液体を外部から視認可能な視認壁と、
前記視認壁と対向する対向壁と、
前記底壁と前記液体注入部形成壁との間に位置し、前記視認壁と交差する方向に前記対向壁に向けて延び、且つ、前記対向壁とは離れた端部を有する壁と、
を備え、
前記液体注入部は、前記対向壁より前記視認壁に近い位置に位置し、
前記壁の前記端部は、前記視認壁より前記対向壁に近い位置に位置する、
液体収容容器。
［形態２］
形態１に記載の液体収容容器であって、
前記視認壁に、前記液体収容部内の液体量の下限を示す下限マークが設けられている、液体収容容器。
［形態３］
形態１または形態２に記載の液体収容容器であって、
前記視認壁に、前記液体収容部内の液体量の上限を示す上限マークが設けられている、液体収容容器。
［形態４］
形態１から形態３までのいずれか一項に記載の液体収容容器であって、
前記視認壁は、少なくとも一部が撥液性を有する、液体収容容器。
［形態５］
形態１から形態４までのいずれか一項に記載の液体収容容器と、
前記ヘッドと、
を備えたプリンターであって、
前記液体収容容器は前記プリンターのケース内に収容され、
前記ケースは、前記液体収容容器の前記視認壁と対向する窓部を有する、
プリンター。
［形態６］
形態５に記載のプリンターであって、
前記窓部は、前記プリンターの正面に設けられている、プリンター。
［形態７］
形態５または形態６に記載のプリンターであって、
前記ケースは、前記プリンターの正面に操作パネルを有する、
プリンター。
［形態８］
形態５から形態７までのいずれか一項に記載のプリンターと、
スキャナーユニットとを備え、
前記スキャナーユニットは、前記プリンターの上方に前記ケースに対し回動可能に設けられている
複合機。
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
スキッドステア式軽量全地形用車両（ＬＡＴＶ）であって、
車両の夫々の側に位置する複数の車輪又は無限軌道と、
車両片側の車輪又は無限軌道を各駆動装置が駆動するようにした２つの駆動装置と、
差動歯車を有する差動操舵装置であって、前記車両が走行する路面状態に関係なく、前記差動操舵装置への操舵入力の操舵角に関連する、前記車両の２つの駆動装置の規定された差動速度を発生させるように構成された差動操舵装置と、
差動歯車装置に作用するように構成された操舵駆動装置と、を備え、
前記操舵駆動装置は、油圧ポンプと、油圧操舵モータと、前記油圧操舵モータと前記油圧モータとを結ぶ油圧回路とを有し、
前記油圧操舵モータの回転数範囲は前記操舵入力の操舵角に基づいて油圧式に決定され、
前記油圧回路は、前記油圧操舵モータに接続された操舵弁と、この操舵弁に接続された優先流量制御弁とを有し、
前記優先流量制御弁は、操舵弁の圧力損失を利用して圧力差が一定に維持されるように圧力差を制御して操舵弁への流量を制御し、
前記差動操舵装置は、前記車両の旋回時、操舵入力が等しい場合には、旋回半径が車両の高速時よりも低速時の方が小さくなるように、前記２つの駆動装置の差動速度を発生させるように構成されることを特徴とするＬＡＴＶ。
【請求項２】
駆動エンジンと、
前記車両の前部に前記駆動エンジンに対して長手方向に併設された変速機と、
前記駆動エンジンと前記変速機の前部に搭載された可変動力伝達装置とを更に備えることを特徴とする請求項１記載のＬＡＴＶ。
【請求項３】
前記２つの駆動装置がそれぞれ駆動軸を有し、
前記差動操舵装置が、前記車両の後部に２つの駆動装置の駆動軸と整列されて搭載されていることを特徴とする請求項１記載のＬＡＴＶ。
【請求項４】
乾燥重量が約１トン以下で、長さが約３．５ｍ以下で、幅が約１．６５ｍ以下であることを特徴とする請求項１記載のＬＡＴＶ。
【請求項５】
前記差動操舵装置はギヤトレインから成り、
前記ギヤトレインは、ゼロシャフト（zero shaft）と、前記ゼロシャフトに接続された２つのギアサポートと、各遊星歯車が１つのギアサポートと協働する２つの遊星歯車と、２つの太陽歯車と、各リングギアが太陽歯車の１つと駆動装置の１つの接続フランジとに接続された２つのリングギアと、を有し、
接続されている各ペアの太陽歯車と１つのリングギアとが所定の歯車比を有し、
各遊星歯車が、太陽歯車と１つのリングギアとの連結したペアに対して移動、連結することにより前記所定の歯車比を変更可能であるものとを有し、
前記操舵入力に相当する操舵トルクが油圧操舵モータから前記ゼロシャフトを介して送り出されることを特徴とする請求項１記載のＬＡＴＶ。
【請求項６】
前記ゼロシャフトが２個のギアサポートの内の１個に直接接続され、他のギアサポートに対しては逆転用の中間軸を介して接続されていることを特徴とする請求項５記載のＬＡＴＶ。
【請求項７】
駆動エンジンを更に備え、前記駆動エンジンが内燃機関又は電気モータであることを特徴とする請求項１記載のＬＡＴＶ。
【請求項８】
前記優先流体制御弁が差圧制御弁として作用し、前記油圧操舵モータに流れる油量を油圧システムの圧力とは無関係に制御することを特徴とする請求項１記載のＬＡＴＶ。
【請求項９】
前記油圧回路が圧力制限弁を更に備えることを特徴とする請求項１記載のＬＡＴＶ。
【請求項１０】
前進装置あるいは後進装置が係合しているか否かによって油圧作動油の流れ方向を変えることができる油圧弁を更に備えることを特徴とする請求項１記載のＬＡＴＶ。
【請求項１１】
前記油圧ポンプがエンジンハウジングに搭載され、内燃機関のクランクシャフトにより直接駆動されることを特徴とする請求項１記載のＬＡＴＶ。
【請求項１２】
前記油圧回路が補助作動油圧システムを更に備え、前記油圧操舵モータシステムが該補助作動油圧システムに常に優先するように前記操舵駆動装置が構成されていることを特徴とする請求項１記載のＬＡＴＶ。
【請求項１３】
スキッドステア式軽量全地形用車両（ＬＡＴＶ）において、
車両の夫々の側に位置する複数の車輪又は無限軌道と、
エンジンと、
前記エンジンに連結され且つ前記エンジンによって駆動される、各駆動装置が車両片側の車輪又は無限軌道を駆動する２つの駆動装置と、
運転者スロットルレバー又はペダルと、
油圧ポンプと、油圧操舵モータと、該油圧操舵モータと該油圧ポンプとを連結する油圧回路と、前記油圧操舵モータで駆動される前記車輪又は無限軌道の所要差動速度の発生に必要な流量であって且つ前記油圧回路の操舵圧力値制御のために機械的に前記流量を制御するように構成された優先弁とを有する操舵駆動装置と、
前記操舵圧力値を検出する操舵圧力センサと、
電子スロットル制御システムを前記エンジンと前記運転者スロットルレバー又はペダルとに接続するエンジントルク制御装置と、を備え、
前記電子スロットル制御システムは、検出した前記操舵圧力値に基づいて電子スロットルを制御して操舵に必要なトルクを補償し、且つエンジントルクを補償し、
操舵に必要なトルクを補償することにより、前記電子スロットル制御システムは、操舵中に運転者スロットルレバー又はペダルへの入力なしにエンジンが車両速度を実質的に安定的に保つことを特徴とするＬＡＴＶ。
【請求項１４】
係合した歯車に基づいて、エンジン速度範囲を制限することなく、車両の最高速度を異なるように制御すべく前記電子スロットル制御システムが構成されていることを特徴とする請求項１３記載のＬＡＴＶ。
【請求項１５】
運転者の技量によって車両速度が調節可能な場合、前記電子スロットル制御システムが初心者モードを提供可能であることを特徴とする請求項１３記載のＬＡＴＶ。
【請求項１６】
乾燥重量が約１トン以下で、長さが約３．５ｍ以下で、幅が約１．６５ｍ以下であることを特徴とする請求項１３記載のＬＡＴＶ。
【請求項１７】
前記差動操舵装置、前記油圧操舵装置、及び前記トルク補償装置がＬＡＴＶをその場で回転することと、非常に急な曲線を運転することを可能にすることを特徴とする請求項１または１３に記載のＬＡＴＶ。
【手続補正書】
【提出日】平成28年9月13日(2016.9.13)
【手続補正１】
【補正対象書類名】明細書
【補正対象項目名】０００４
【補正方法】変更
【補正の内容】
【０００４】
ところで、従来のカートリッジシステムは、印刷消耗品の数量情報をＩＣリセッターなどで改ざんすることが可能であると言った問題があった。
【手続補正２】
【補正対象書類名】明細書
【補正対象項目名】０００５
【補正方法】変更
【補正の内容】
【０００５】
そこで、本発明の目的は、印刷消耗品カートリッジに関わる不正な手段を試みても無益な苦労に終わらせる印刷消耗品システムを提供することにある。
【手続補正３】
【補正対象書類名】明細書
【補正対象項目名】０００７
【補正方法】変更
【補正の内容】
【０００７】
本発明によれば、請求項１〜３は、印刷消耗品カートリッジに関わる不正な手段を試みても無益な苦労に終わらせることができる。
【手続補正４】
【補正対象書類名】特許請求の範囲
【補正対象項目名】全文
【補正方法】変更
【補正の内容】
【特許請求の範囲】
【請求項１】
印刷消耗品の数量に係わる被更新情報を記憶し印刷消耗品カートリッジ（１）の記憶媒体を構成するＩＣチップ（１０）において、
前記被更新情報を改ざんすることを不可能とする手段を備えることを特徴とするＩＣチップ（１０）。
【請求項２】
請求項１に記載のＩＣチップ（１０）を備えた前記印刷消耗品カートリッジ（１）であることを特徴とするカートリッジ（１）。
【請求項３】
印刷消耗品の数量に係わる被更新情報を記憶し印刷消耗品カートリッジ（１）の記憶媒体を構成するＩＣチップ（１０）を備えた前記印刷消耗品カートリッジ（１）を装着する手段と、
前記被更新情報の改ざんを訂正する手段と、を備えることを特徴とする印刷装置（２）。
【手続補正５】
【補正対象書類名】明細書
【補正対象項目名】０００６
【補正方法】変更
【補正の内容】
【０００６】
上記課題を解決するために本発明の印刷消耗品システムは、印刷消耗品の数量に係わる被更新情報を記憶し印刷消耗品カートリッジ（１）の記憶媒体を構成するＩＣチップ（１０）において、前記被更新情報を改ざんすることを不可能とする手段を備えることを特徴とする。
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
太陽電池パネルを有する太陽電池モジュールと、
該太陽電池モジュールの一端部の上側を覆うカバー部材と、
前記太陽電池モジュールの前記一端部の下側に位置するレール部材と、
該レール部材に対して前記カバー部材を固定するためのボルト、および該ボルトの軸部を挿入するナットを有する締結部材とを備えており、
前記カバー部材は、前記ボルトの前記軸部を挿入するボルト軸挿入部と、該ボルト軸挿入部に連通しており、前記ボルトの頭部または前記ナットを挿入できて、前記ボルトの前記頭部または前記ナットの回転を抑制する回転抑制部とを有し、
前記レール部材は、前記ボルトの前記軸部が貫通するボルト孔部を有している、
太陽電池装置。
【請求項２】
前記ボルトの前記頭部は平面視して多角形状であり、前記カバー部材の前記回転抑制部は、前記頭部の前記多角形状の対辺を挟んでおり、前記ボルト孔部に貫通した前記ボルトの前記軸部を前記ボルト孔部の外側から前記ナットで締結している、請求項１に記載の太陽電池装置。
【請求項３】
前記ボルト軸挿入部は、前記回転抑制部よりも幅狭の開口を備えている、請求項２記載の太陽電池装置。
【請求項４】
前記カバー部材は、前記太陽電池パネルの下面よりも下方に延びる延伸部をさらに有し、該延伸部に前記ボルト軸挿入部および前記回転抑制部が設けられている、請求項１乃至３のいずれかに記載の太陽電池装置。
【請求項５】
前記カバー部材は、前記レール部材と係合する係合部を有する、請求項１乃至４のいずれかに記載の太陽電池装置。
【請求項６】
他の太陽電池モジュールをさらに備え、前記カバー部材は、前記他の太陽電池モジュールの一端部を収容している、請求項１乃至５のいずれかに記載の太陽電池装置。
【請求項７】
前記レール部材の前記ボルト孔部は、前記太陽電池モジュールの前記一端部に沿った長孔を有している、請求項１乃至６のいずれかに記載の太陽電池装置。
【請求項８】
前記レール部材の前記ボルト孔部は、前記長孔に連なって設けられ前記ボルトの頭部が貫通する丸孔を有している、請求項７に記載の太陽電池装置。
【請求項９】
前記レール部材は、前記太陽電池モジュールの前記一端部に沿って、上方が開口した樋をさらに有している、請求項１乃至８のいずれかに記載の太陽電池装置。
【請求項１０】
前記樋の前記開口に異物の混入を制限するフィルタ部材が設けられている、請求項９に記載の太陽電池装置。
【請求項１１】
前記樋の前記開口の外側に前記ボルト孔部よりも上方に長く突設した壁部を有している、請求項９または１０に記載の太陽電池装置。
【手続補正２】
【補正対象書類名】明細書
【補正対象項目名】００１５
【補正方法】変更
【補正の内容】
【００１５】
本発明の一形態に係る太陽電池装置は、太陽電池パネルを有する太陽電池モジュールと、該太陽電池モジュールの一端部の上側を覆うカバー部材と、前記太陽電池モジュールの前記一端部の下側に位置するレール部材と、該レール部材に対して前記カバー部材を固定するためのボルト、および該ボルトの軸部を挿入するナットを有する締結部材とを備えており、前記カバー部材は、前記ボルトの前記軸部を挿入するボルト軸挿入部と、該ボルト軸挿入部に連通しており、前記ボルトの頭部または前記ナットを挿入できて、前記ボルトの前記頭部または前記ナットの回転を抑制する回転抑制部とを有し、前記レール部材は、前記ボルトの前記軸部が貫通するボルト孔部を有している。
【手続補正書】
【提出日】平成28年7月22日(2016.7.22)
【手続補正１】
【補正対象書類名】特許請求の範囲
【補正対象項目名】請求項３
【補正方法】変更
【補正の内容】
【請求項３】
前記第１接続端子は、前記第１絶縁層の表面から突出した位置に形成されていることを特徴とする請求項１又は２に記載の半導体装置。
【手続補正２】
【補正対象書類名】特許請求の範囲
【補正対象項目名】請求項４
【補正方法】変更
【補正の内容】
【請求項４】
前記第１絶縁層の表面は、第１突出部を有し、
前記第１接続端子は、前記第１突出部上に形成され、前記第１突出部から露出された前記貫通電極の表面全面を被覆するとともに、前記第１突出部から露出された前記絶縁膜を被覆することを特徴とする請求項３に記載の半導体装置。
【手続補正３】
【補正対象書類名】特許請求の範囲
【補正対象項目名】請求項５
【補正方法】変更
【補正の内容】
【請求項５】
前記第１接続端子は、前記第１突出部の全面を被覆するとともに、前記第１突出部の周囲の前記第１絶縁層表面を被覆することを特徴とする請求項４に記載の半導体装置。
【手続補正４】
【補正対象書類名】特許請求の範囲
【補正対象項目名】請求項６
【補正方法】変更
【補正の内容】
【請求項６】
前記導電層は、前記第１絶縁層の表面から突出した第２突出部を有し、
前記第２突出部の表面が曲面に形成され、
前記第１接続端子は、前記第２突出部の表面全面を被覆するように形成されていることを特徴とする請求項２〜５のいずれか一項に記載の半導体装置。
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
凹部を備えた下側部材と、
前記下側部材の凹部内に配置された下側スペーサと、
前記下側スペーサの上に配置された基板と、
前記下側部材の上に配置され、ガス供給穴を備えた上側部材と、
前記下側スペーサの直上に前記基板を介して配置されると共に、前記基板と前記上側部材との間に配置され、前記基板と前記上側部材との間の空間を密封する上側密封部材と
を有することを特徴とする基板の反り矯正装置。
【請求項２】
前記下側スペーサは、環状の突出部に囲まれた凹部を備えていることを特徴とする請求項１に記載の基板の反り矯正装置。
【請求項３】
前記上側部材と前記上側密封部材の間に上側スペーサが介在していることを特徴とする請求項１又は２に記載の基板の反り矯正装置。
【請求項４】
前記上側部材の下面に前記ガス供給穴に繋がる凹部が形成されていることを特徴とする請求項１乃至３のいずれか一項に記載の基板の反り矯正装置。
【請求項５】
前記下側部材及び前記上側部材にヒータがそれぞれ設けられていることを特徴とする請求項１乃至４のいずれか一項に記載の基板の反り矯正装置。
【請求項６】
前記下側部材は前記凹部に繋がるガス供給穴を備えており、
前記基板と前記下側スペーサとの間に下側密封部材が配置されることを特徴とする請求項１に記載の基板の反り矯正装置。
【請求項７】
凹部を備えた下側部材を用意し、前記凹部内に環状の下側スペーサを配置する工程と、
前記下側スペーサの上に基板を配置する工程と、
前記下側スペーサの直上に前記基板を介して上側密封部材を配置する工程と、
ガス供給穴を備えた上側部材を用意し、前記上側密封部材を介して前記下側部材の上に前記上側部材を配置する工程と、
前記ガス供給穴から前記基板にガスを供給する工程と
を有することを特徴とする基板の反り矯正方法。
【請求項８】
前記下側部材の上に前記上側部材を配置する工程において、
前記上側密封部材と前記上側部材との間に上側スペーサが介在することを特徴とする請求項７に記載の基板の反り矯正方法。
【請求項９】
前記上側部材の下面に前記ガス供給穴に繋がる凹部が形成されていることを特徴とする請求項７又は８に記載の基板の反り矯正方法。
【請求項１０】
前記ガスを供給する工程において、常温から９０℃の温度雰囲気で行うことを特徴とする請求項７乃至９のいずれか一項に記載の基板の反り矯正方法。
【請求項１１】
前記基板は配線基板であり、
前記配線基板に前記ガスを供給して反りを矯正した後に、前記配線基板の上面に半導体チップがフリップチップ接続されることを特徴とする請求項７乃至１０のいずれか一項に記載の基板の反り矯正方法。
【請求項１２】
前記下側スペーサの上に基板を配置する工程において、
前記下側部材は前記凹部に繋がるガス供給穴を備えており、前記基板は、前記下側スペーサの上に下側密封部材を介して配置され、
前記ガス供給穴から前記基板にガスを供給する工程は、
前記上側部材のガス供給穴及び前記下側部材のガス供給穴から前記基板にガスを供給することを含むことを特徴とする請求項７に記載の基板の反り矯正方法。
【手続補正２】
【補正対象書類名】明細書
【補正対象項目名】０００７
【補正方法】変更
【補正の内容】
【０００７】
以下の開示の一観点によれば、凹部を備えた下側部材と、前記下側部材の凹部内に配置された下側スペーサと、前記下側スペーサの上に配置された基板と、前記下側部材の上に配置され、ガス供給穴を備えた上側部材と、前記下側スペーサの直上に前記基板を介して配置されると共に、前記基板と前記上側部材との間に配置され、前記基板と前記上側部材との間の空間を密封する上側密封部材とを有する基板の反り矯正装置が提供される。
【手続補正３】
【補正対象書類名】明細書
【補正対象項目名】０００８
【補正方法】変更
【補正の内容】
【０００８】
また、その開示の他の観点によれば、凹部を備えた下側部材を用意し、前記凹部内に環状の下側スペーサを配置する工程と、前記下側スペーサの上に基板を配置する工程と、前記下側スペーサの直上に前記基板を介して上側密封部材を配置する工程と、ガス供給穴を備えた上側部材を用意し、前記上側密封部材を介して前記下側部材の上に前記上側部材を配置する工程と、前記ガス供給穴から前記基板にガスを供給する工程とを有する基板の反り矯正方法が提供される。